(57)【特許請求の範囲】
【請求項１】
遮水性と柔軟性とを有し袋状に形成される袋体と、互いに略平行に配置される網目状の複数枚の編地と複数枚の前記編地間を連結する複数の連結糸とを有する立体編物とを備え、
前記連結糸は、弾性を有する化学繊維で形成され、
前記袋体は、樹脂またはゴムで形成される２枚のフィルムの外周端が溶着されることで袋状に形成され、
前記袋体の内部には、液体が流入する流入口に繋がる流入側領域と、前記液体が流出する流出口に繋がる流出側領域と、前記流入側領域と前記流出側領域とを繋ぐ接続領域とが形成されるとともに、
前記流入側領域、前記流出側領域および前記接続領域は、２枚の前記フィルム同士が溶着された溶着部によって画定され、
前記立体編物は、略平板状に形成されるとともに前記袋体の中の前記流入側領域、前記流出側領域および前記接続領域の略全域に配置され、
冷却用または加熱用の前記液体が、前記袋体の内部で前記立体編物に保持されるとともに、前記袋体の内部の、前記立体編物が配置される前記流入側領域、前記流出側領域および前記接続領域を通過することを特徴とする液体保持具。
【請求項２】
前記袋体の内部は、前記流入側領域と前記流出側領域と前記接続領域とによって構成されていることを特徴とする請求項１記載の液体保持具。
【請求項３】
前記溶着部は、略Ｔ形状に形成されていることを特徴とする請求項１または２記載の液体保持具。
【請求項４】
前記袋体は、略長方形状に形成され、
略長方形状に形成される前記袋体の長手方向の一端側に前記流入口および前記流出口が形成され、
前記袋体の長手方向の他端側に前記接続領域が形成されていることを特徴とする請求項１から３のいずれかに記載の液体保持具。
【請求項５】
前記液体保持具は、略帯状に形成され、
略帯状に形成される前記液体保持具の長手方向の一端側の一方の面には、第１係合部材が固定され、
前記液体保持具の長手方向の他端側の他方の面には、前記第１係合部材に係合して前記液体保持具の長手方向の一端側の一方の面と前記液体保持具の長手方向の他端側の他方の面とを着脱可能に繋ぐ第２係合部材が固定されていることを特徴とする請求項１または２記載の液体保持具。
【請求項６】
請求項１から５のいずれかに記載の液体保持具と、前記液体保持具に接続され前記液体保持具へ前記液体を供給するポンプと、前記液体保持具へ供給される前記液体を冷却または加熱する熱交換器とを備えることを特徴とする冷却・加熱装置。
【発明の詳細な説明】
【技術分野】
【０００１】
本発明は、内部で液体を保持することが可能な液体保持具に関する。また、本発明は、かかる液体保持具を備える冷却・加熱装置に関する。
【背景技術】
【０００２】
従来、患者の頭部を冷却するためのヘルメット状の頭部冷却器具が提案されている（たとえば、特許文献１参照）。特許文献１に記載の頭部冷却器具は、並列に配置される複数のチューブ状冷却嚢と、チューブ状冷却嚢の一端に繋がる冷却水供給嚢と、チューブ状冷却嚢の他端に繋がる冷却用排水嚢とを備えている。チューブ状冷却嚢は、上布と、下布と、上布と下布とを接続する接続糸とを備えている。このチューブ状冷却嚢は、上布の端部辺と下布の端部辺とを縫製してチューブ状にすることで形成されており、チューブ状冷却嚢の内部を通過する冷却水によって患者の頭部が冷却される。
【先行技術文献】
【特許文献】
【０００４】
【特許文献１】特開２００１−２５８９２４号公報
【発明の概要】
【発明が解決しようとする課題】
【０００５】
特許文献１に記載の頭部冷却器具では、上布の端部辺と下布の端部辺とを縫製してチューブ状にすることで、冷却水が通過するチューブ状冷却嚢が形成されている。また、この頭部冷却器具では、チューブ状冷却嚢が並列に配置されるとともに、チューブ状冷却嚢の両端のそれぞれに冷却水供給嚢と冷却用排水嚢とが繋がれている。そのため、この頭部冷却器具では、器具の構成が複雑であり、器具のコストが高くなるおそれがある。
【０００７】
そこで、本発明の課題は、簡易な構成で、人体の一部や所定の機器等を冷やしたり、温めたりすることが可能な液体保持具、および、この液体保持具を備える冷却・加熱装置を提供することにある。
【課題を解決するための手段】
【０００８】
上記の課題を解決するため、本発明の液体保持具は、遮水性と柔軟性とを有し袋状に形成される袋体と、互いに略平行に配置される網目状の複数枚の編地と複数枚の編地間を連結する複数の連結糸とを有する立体編物とを備え、連結糸は、弾性を有する化学繊維で形成され、袋体は、樹脂またはゴムで形成される２枚のフィルムの外周端が溶着されることで袋状に形成され、袋体の内部には、液体が流入する流入口に繋がる流入側領域と、液体が流出する流出口に繋がる流出側領域と、流入側領域と流出側領域とを繋ぐ接続領域とが形成されるとともに、流入側領域、流出側領域および接続領域は、２枚のフィルム同士が溶着された溶着部によって画定され、立体編物は、略平板状に形成されるとともに袋体の中の流入側領域、流出側領域および接続領域の略全域に配置され、冷却用または加熱用の液体が、袋体の内部で立体編物に保持されるとともに、袋体の内部の、立体編物が配置される流入側領域、流出側領域および接続領域を通過することを特徴とする。
【０００９】
本発明では、遮水性と柔軟性とを有する袋体の内部に、網目状の複数枚の編地と複数枚の編地間を連結する化学繊維製の複数の連結糸とを有する略平板状の立体編物が配置されることで、液体保持具が構成され、袋体の内部では、立体編物に液体が保持されている。そのため、本発明では、略平板状の立体編物と袋体とを用いた簡易な構成で、立体編物に保持されている液体を用いて、人体の一部や所定の機器等を冷やしたり、温めたりすることが可能になる。
【００１０】
また、本発明では、網目状の複数枚の編地間が弾性を有する化学繊維製の複数の連結糸によって連結されているため、液体の表面張力を利用して、複数枚の編地間に所定の保持力で液体を保持することが可能になる。したがって、袋体を立てた状態で液体保持具が使用される場合であっても、立体編物の複数枚の編地間に液体を保持することが可能になり、液体が袋体の下側に溜まるのを防止することが可能になる。その結果、本発明では、袋体を立てた状態で液体保持具が使用される場合であっても、立体編物が配置された箇所の全体に冷却・加熱の効果を持たせることが可能になる。
【００１１】
さらに、本発明では、略平板状に形成された立体編物が袋体の内部に配置されているため、寝ている人の頭部を冷却する冷却用枕として液体保持具が使用される場合に、弾性を有する複数の連結糸によって、液体保持具に載る頭部を支持することが可能になる。したがって、弾性を有する複数の連結糸によって、袋体内部の圧力上昇を抑制することが可能になる。また、本発明では、液体保持具に載った頭部は、弾性を有する化学繊維製の複数の連結糸によって支持されるため、液体保持具への頭部の載せ心地を良くすることが可能になる。
【００１３】
また、本発明では、袋体の内部に、液体が流入する流入口に繋がる流入側領域と、液体が流出する流出口に繋がる流出側領域と、流入側領域と流出側領域とを繋ぐ接続領域とが形成され、立体編物は、流入側領域、流出側領域および接続領域の略全域に配置され、袋体の内部の、立体編物が配置される流入側領域、流出側領域および接続領域を液体が通過する。ここで、流入口や流出口にポンプや熱交換器等が接続されることがあるが、本発明では、弾性を有する複数の連結糸によって、袋体内部の圧力上昇を抑制することが可能になるため、液体保持具に接続されるポンプや熱交換器等に耐圧性の低いものを使用することが可能になる。
【００１４】
また、本願発明者の検討によれば、略平板状に形成された立体編物が流入側領域、流出側領域および接続領域の略全域に配置されていると、袋体の内部を通過する液体は、立体編物が配置された箇所において略均等に拡散する。そのため、このように構成すると、流入側領域、流出側領域および接続領域の略全域を略均等に冷やしたり、温めたりすることが可能になる。また、本発明では、袋体は、樹脂またはゴムで形成される２枚のフィルムの外周端が溶着されることで袋状に形成され、流入側領域、流出側領域および接続領域は、２枚のフィルム同士が溶着された溶着部によって画定されているため、２枚のフィルム同士の溶着時に形成される溶着部によって、流入側領域、流出側領域および接続領域が画定される。したがって、液体保持具の構成をより簡素化することが可能になる。
【００１５】
本発明において、袋体の内部は、流入側領域と流出側領域と接続領域とによって構成されていることが好ましい。
【００１６】
このように構成すると、袋体内部の略全域に配置される立体編物の複数枚の編地間に所定の保持力で液体を保持することが可能になる。したがって、袋体を立てた状態で液体保持具が使用される場合であっても、袋体の略全域において、複数枚の編地間に液体を保持することが可能になり、袋体の略全体に冷却・加熱の効果を持たせることが可能になる。また、このように構成すると、寝ている人の頭部を冷却する冷却用枕として液体保持具が使用される場合には、袋体内部の略全域に配置される立体編物の連結糸によって、液体保持具に載る頭部を支持することが可能になる。したがって、袋体内部の圧力上昇を効果的に抑制することが可能になり、また、液体保持具への頭部の載せ心地をより良くすることが可能になる。さらに、このように構成すると、袋体の内部を通過する液体は、袋体内部の略全域において略均等に拡散する。したがって、袋体の略全域を略均等に冷やしたり、温めたりすることが可能になる。
【００１７】
本発明において、たとえば、溶着部は、略Ｔ形状に形成されている。
【００１８】
本発明において、たとえば、袋体は、略長方形状に形成され、略長方形状に形成される袋体の長手方向の一端側に流入口および流出口が形成され、袋体の長手方向の他端側に接続領域が形成されている。この場合には、流入口および流出口と接続領域との距離を長くすることが可能になり、流入側領域および流出側領域を大きくすることが可能になる。
【００１９】
本発明において、液体保持具は、略帯状に形成され、略帯状に形成される液体保持具の長手方向の一端側の一方の面には、第１係合部材が固定され、液体保持具の長手方向の他端側の他方の面には、第１係合部材に係合して液体保持具の長手方向の一端側の一方の面と液体保持具の長手方向の他端側の他方の面とを着脱可能に繋ぐ第２係合部材が固定されていることが好ましい。このように構成すると、略帯状に形成される液体保持具を、人体の頭部、腕または脚等に巻いて使用することが可能になる。
【００２１】
本発明の液体保持具は、液体保持具に接続され液体保持具へ液体を供給するポンプと、液体保持具へ供給される液体を冷却または加熱する熱交換器とを備える冷却・加熱装置に用いることができる。この冷却・加熱装置では、簡易な構成で、人体の一部や所定の機器等を冷やしたり、温めたりすることが可能になる。また、袋体を立てた状態で液体保持具が使用される場合であっても、立体編物が配置された箇所の全体に冷却・加熱の効果を持たせることが可能になる。さらに、冷却用枕として液体保持具が使用される場合には、袋体内部の圧力上昇を抑制することが可能になり、かつ、液体保持具への頭部の載せ心地を良くすることが可能になる。また、流入側領域および流出側領域の、立体編物が配置された箇所の全体を略均等に冷やしたり、温めたりすることが可能になる。
【発明の効果】
【００２３】
以上のように、本発明の液体保持具および冷却・加熱装置では、簡易な構成で、人体の一部や所定の機器等を冷やしたり、温めたりすることが可能になる。
【図面の簡単な説明】
【００２４】
【図１】本発明の実施の形態にかかる冷却・加熱装置の概略構成を示すブロック図である。
【図２】図１に示す頭部冷却用枕の概略構成を示す平面図である。
【図３】図２に示す頭部冷却用枕の構成を説明するための拡大断面図である。
【図４】図２に示す立体編物の編地の平面図である。
【図５】図３に示す立体編物の変形例を説明するための図である。
【図６】図２に示す頭部冷却用枕に冷却水を流入させたときの頭部冷却用枕の温度分布の実験結果を示す図である。
【図７】立体編物が内部に配置されていない袋体からなる比較例にかかる頭部冷却用枕に冷却水を流入させたときの頭部冷却用枕の温度分布の実験結果を示す図である。
【図８】本発明の実施の形態にかかる冷却帯の正面図である。
【図９】図８に示す冷却帯の背面図である。
【図１０】図８に示す冷却帯の使用方法を説明するための図である。
【図１１】本発明の実施の形態にかかる冷却パッドの正面図である。
【図１２】本発明の実施の形態にかかる液体移送装置の概略図であり、（Ａ）は液体移送装置の概略側面図、（Ｂ）は（Ａ）のＥ−Ｅ方向から液体移送具および液体供給容器を示す図である。
【発明を実施するための形態】
【００２５】
以下、図面を参照しながら、本発明の実施の形態を説明する。
【００２６】
［実施の形態１］
（冷却・加熱装置の概略構成）
図１は、本発明の実施の形態にかかる冷却・加熱装置１の概略構成を示すブロック図である。
【００２７】
本形態の冷却・加熱装置１は、寝ている使用者の頭部を冷却するための頭部冷却装置である。そのため、以下では、本形態の冷却・加熱装置１を「頭部冷却装置１」とする。頭部冷却装置１は、たとえば、病院や介護施設等のベッドに設置されて使用される。この頭部冷却装置１は、図１に示すように、使用者の頭部が載る液体保持具としての頭部冷却用枕２（以下、「枕２」とする）と、可撓性を有するチューブ３、４を介して、枕２に接続される機械部５とを備えている。枕２と機械部５との間では、冷却用の液体が循環する。本形態では、枕２と機械部５との間で冷却水が循環する。また、枕２は、たとえば、ベッド上に設置され、機械部５は、ベッドを囲む柵に設置される。なお、枕２は、後述のように扁平形状に形成されているため、通常は、一般的な枕やクッションと重ねて使用される。すなわち、一般的な枕やクッションによって、使用者の頭部が載る枕２の高さ調整等が行われる。
【００２８】
チューブ３、４は、断熱性に優れる断熱性材料で形成されるとともに、折れにくい材料で形成されている。機械部５は、枕２へ冷却水を供給するポンプ７と、枕２へ供給される冷却水を冷却する熱交換器８と、熱交換器８を制御する制御部９とを備えている。ポンプ７は、チューブ３を介して枕２の、冷却水の流出側に接続されている。熱交換器８は、チューブ４を介して枕２の、冷却水の流入側に接続されている。また、熱交換器８は、所定の配管を介してポンプ７の吐出側に接続されている。熱交換器８は、たとえば、ペルチェ素子等の熱電素子を備えており、ポンプ７によって枕２へ供給される冷却水を冷却する。制御部９は、熱交換器８を制御して、枕２へ供給される冷却水の温度を制御する。
【００２９】
本形態では、枕２とポンプ７と熱交換器８とが、冷却水を貯蔵するためのタンクを介さずに互いに接続されている。すなわち、本形態では、枕２とポンプ７と熱交換器８とによってクローズドループが形成されている。なお、機械部５は、循環する冷却水内の空気抜きを行うために、小型のタンクを備えていても良い。
【００３０】
（頭部冷却用枕の構成）
図２は、図１に示す頭部冷却用枕２の概略構成を示す平面図である。図３は、図２に示す頭部冷却用枕２の構成を説明するための拡大断面図である。図４は、図２に示す立体編物１２の編地２０の平面図である。図５は、図３に示す立体編物１２の変形例を説明するための図である。以下の頭部冷却用枕２の説明では、互いに直交する３方向のそれぞれをＸ方向、Ｙ方向およびＺ方向とし、Ｘ方向を左右方向、Ｙ方向を前後方向、Ｚ方向を上下方向とする。また、Ｘ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００３１】
枕２は、上下方向（図２の紙面垂直方向）を扁平方向とする扁平な略直方体状に形成されている。すなわち、枕２は、上下方向から見たときの形状が左右方向を長手方向とする略長方形状となるように形成されている。この枕２は、袋状に形成され内部を冷却水が通過する袋体１１と、袋体１１の内部に配置される立体編物１２とを備えている。本形態では、枕２に支持される頭部は、枕２の上面に当接する。また、左右方向は、枕２に支持される頭部の幅方向と略一致し、枕２に頭部を支持される使用者の胴体は、前後方向の一方側に配置される。なお、枕２は、上下方向から見たときの形状が略長円形状や略楕円形状となるように形成されても良い。
【００３２】
袋体１１は、枕２の上面を形成するフィルム１４と、枕２の下面を形成するフィルム１４との２枚のフィルム１４によって構成されている（図３参照）。フィルム１４は、左右方向を長手方向とする略長方形状に形成されている。また、フィルム１４は、遮水性（液体を通さない性質）と柔軟性とを有する樹脂またはゴムによって形成されており、袋体１１は、遮水性と柔軟性とを有している。本形態のフィルム１４は、透明または白色の樹脂で形成された樹脂フィルムである。袋体１１は、２枚のフィルム１４の外周端が互いに溶着されることで袋状に形成されており、フィルム１４の外周端には、２枚のフィルム１４同士が溶着された略長方形の枠状の溶着部１４ａが形成されている。また、袋体１１には、２枚のフィルム１４同士が溶着された略Ｔ形状の溶着部１４ｂが形成されている。
【００３３】
溶着部１４ｂは、左右方向に略平行な直線状の第１溶着部１４ｃと、前後方向に略平行な直線状の第２溶着部１４ｄとから構成されている。第１溶着部１４ｃは、袋体１１の右端から左端側に向かって形成されている。第１溶着部１４ｃの右端は、溶着部１４ａに繋がっている。また、第１溶着部１４ｃは、前後方向の略中心位置に形成されている。第２溶着部１４ｄは、袋体１１の左端との間に所定の間隔をあけた状態で形成されている。また、第２溶着部１４ｄは、袋体１１の前後方向の両端のそれぞれとの間に所定の間隔をあけた状態で形成されている。前後方向における第２溶着部１４ｄの中心は、第１溶着部１４ｃの左端に繋がっている。
【００３４】
袋体１１には、冷却水が流入する流入口１１ａと、冷却水が流出する流出口１１ｂとが形成されている。流入口１１ａおよび流出口１１ｂは、袋体１１の右端側に形成されている。また、流入口１１ａおよび流出口１１ｂは、前後方向において、第１溶着部１４ｃを挟むように形成されている。具体的には、第１溶着部１４ｃよりも後ろ側に流入口１１ａが形成され、第１溶着部１４ｃよりも前側に流出口１１ｂが形成されている。また、流入口１１ａおよび流出口１１ｂは、枕２の上面を形成するフィルム１４に形成されている。流入口１１ａには、チューブ４の一端が接続され、流出口１１ｂには、チューブ３の一端が接続されている。なお、枕２の上面を形成するフィルム１４に加えて、または、枕２の上面を形成するフィルム１４に代えて、枕２の下面を形成するフィルム１４に流入口１１ａおよび流出口１１ｂが形成されても良い。
【００３５】
袋体１１の内部には、流入口１１ａに繋がる流入側領域１５と、流出口１１ｂに繋がる流出側領域１６と、流入側領域１５と流出側領域１６とを繋ぐ接続領域１７とが形成されている。本形態では、袋体１１の内部の、第１溶着部１４ｃよりも後ろ側の領域、および、第１溶着部１４ｃの左端よりも左側の領域であって、かつ、第２溶着部１４ｄの後端よりも後ろ側の領域が流入側領域１５となっている。また、袋体１１の内部の、第１溶着部１４ｃよりも前側の領域、および、第１溶着部１４ｃの左端よりも左側の領域であって、かつ、第２溶着部１４ｄの前端よりも前側の領域が流出側領域１６となっている。また、第２溶着部１４ｄと袋体１１の左端との間の領域が接続領域１７となっている。
【００３６】
このように、袋体１１の内部は、流入側領域１５と流出側領域１６と接続領域１７とによって構成されている。また、流入側領域１５、流出側領域１６および接続領域１７は、溶着部１４ｂによって画定されている。
【００３７】
立体編物１２は、図３に示すように、互いに略平行に配置される網目状の２枚の編地２０と、２枚の編地２０を連結する複数の連結糸２１とから構成された立体的な繊維構造体（三次元立体編物）である。この立体編物１２は、略平板状に形成されており、その厚さ方向と上下方向とが略一致するように袋体１１の内部に配置されている。また、立体編物１２は、柔軟性を有している。
【００３８】
編地２０は、ＰＥＴ（ポリエチレンテレフタレート）やＰＴＴ（ポリトリメチレンテレフタレート）等の化学繊維あるいは天然繊維によって形成されている。編地２０には、図４に示すように、略六角形状の複数の開口部２０ａが等間隔で形成されており、編地２０は、複数の開口部２０ａが形成されることで網目状となっている。なお、開口部２０ａの形状は、略六角形状には限定されず、略四角形状や略八角形状等の略多角形状であっても良いし、円形状、楕円形状または長円形状であっても良い。
【００３９】
連結糸２１は、弾性を有する化学繊維で形成されている。たとえば、連結糸２１は、ＰＥＴ、ＰＴＴ、ＰＢＴ（ポリブチレンテレフタレート）あるいはナイロン等の化学繊維で形成されている。複数の連結糸２１は、立体編物１２がその厚さ方向において弾力性を有するように、２枚の編地２０の間に配置されている。たとえば、複数の連結糸２１は、図３に示すように、前後方向または左右方向から見たときに、２本の連結糸２１が互いに交差するように、２枚の編地２０の間に配置されている。
【００４０】
なお、複数の連結糸２１は、２本の連結糸２１が互いに交差するとともに、互いに交差する２本の連結糸２１の根元同士を上下方向に略平行な連結糸２１が繋ぐように、２枚の編地２０の間に配置されても良い。また、複数の連結糸２１は、たとえば、図５（Ａ）に示すように、前後方向または左右方向から見たときに、２本の連結糸２１によって三角形が形成されるように、２枚の編地２０の間に配置されても良いし、図５（Ｂ）に示すように、前後方向または左右方向から見たときに、略円弧状となるように、２枚の編地２０の間に配置されても良い。また、複数の連結糸２１は、これらの配置方法の組み合わせで、２枚の編地２０の間に配置されても良い。
【００４１】
本形態の立体編物１２は、たとえば、旭化成せんい株式会社製の商品「フュージョン（登録商標）」である。旭化成せんい株式会社製の商品「フュージョン（登録商標）」の具体的な構成については、特許第３３９４１８３号公報、特許第３９４３０１１号公報および特許第４００１８９０号公報等に開示されている。
【００４２】
立体編物１２は、流入側領域１５、流出側領域１６および接続領域１７に配置されている。具体的には、流入側領域１５、流出側領域１６および接続領域１７の略全域に１枚の立体編物１２が配置されている。すなわち、立体編物１２は、袋体１１の内部の略全域に配置されている。立体編物１２の上面および下面は、図３に示すように、フィルム１４に当接しており、袋体１１の中には、立体編物１２の空間容積に略等しい容積の冷却水を入れることが可能となっている。上述のように、袋体１１および立体編物１２は、柔軟性を有している。そのため、枕２全体も柔軟性を有している。
【００４３】
以上のように構成された枕２では、流入口１１ａから流入した冷却水は、流入側領域１５、接続領域１７および流出側領域１６をこの順番に通過して、流出口１１ｂから流出する。袋体１１の内部では、立体編物１２に冷却水が保持されている。具体的には、袋体１１の内部では、２枚の編地２０の間に冷却水が保持されている。
【００４４】
（本形態の主な効果）
以上説明したように、本形態では、袋体１１の内部に略平板状の立体編物１２が配置されることで、枕２が構成されている。そのため、本形態では、略平板状の立体編物１２と袋体１１とを用いた簡易な構成で、寝ている使用者の頭部を冷却することが可能になる。また、本形態では、袋体１１は、樹脂またはゴムで形成される２枚のフィルム１４の外周端が溶着されることで袋状に形成され、かつ、２枚のフィルム１４同士が溶着された略Ｔ形状の溶着部１４ｂによって、流入側領域１５、流出側領域１６および接続領域１７が画定されているため、枕２の構成をより簡素化することが可能になる。
【００４５】
本形態では、流入側領域１５、流出側領域１６および接続領域１７に立体編物１２が配置されており、枕２に載った頭部は、弾性を有する複数の連結糸２１によって支持される。そのため、本形態では、複数の連結糸２１によって、袋体１１の内部の圧力上昇を抑制することが可能になり、ポンプ７および熱交換器８に耐圧性の低いものを使用することが可能になる。また、本形態では、枕２に載った頭部は、弾性を有する複数の連結糸２１によって支持されるため、枕２への頭部の載せ心地が良くなる。特に本形態では、袋体１１の内部の略全域に立体編物１２が配置されているため、袋体１１の内部の圧力上昇を効果的に抑制することが可能になり、また、枕２への頭部の載せ心地がより良くなる。また、本形態では、枕２に載った頭部が複数の連結糸２１によって支持されるため、枕２に頭部が載っていても、頭部の下に冷却水を確保することが可能になるとともに、頭部の下で冷却水を通過させることが可能になる。したがって、本形態では、頭部を適切に冷却することが可能になる。
【００４６】
本形態では、袋体１１の右端側に流入口１１ａおよび流出口１１ｂが形成され、袋体１１の左端側に接続領域１７が形成されている。そのため、本形態では、流入側領域１５および流出側領域１６を大きくすることが可能になる。
【００４７】
本形態では、袋体１１の内部は、流入側領域１５と流出側領域１６と接続領域１７とによって構成されている。そのため、流入口１１ａから流入した冷却水がすぐに流出口１１ｂから流出することがない。したがって、本形態では、袋体１１の内部を通過する冷却水を袋体１１の内部の略全域に拡散させることが可能になる。また、袋体１１の内部で冷却水の淀みが発生するのを防止することが可能になる。特に本形態では、流入側領域１５、流出側領域１６および接続領域１７の略全域に立体編物１２が配置されているため、本願発明者の検討によると、袋体１１の内部を通過する冷却水は、袋体１１の内部の略全域において略均等に拡散する。したがって、本形態では、袋体１１の略全域を略均等に冷やすことが可能になる。以下、この効果を実験結果に基づいてより具体的に説明する。
【００４８】
図６は、図２に示す頭部冷却用枕２に冷却水を流入させたときの頭部冷却用枕２の温度分布の実験結果を示す図である。図７は、立体編物１２が内部に配置されていない袋体１１からなる比較例にかかる頭部冷却用枕に冷却水を流入させたときの頭部冷却用枕の温度分布の実験結果を示す図である。なお、図６、図７において、黒っぽく見える領域は温度が低い領域であり、図７において、黒っぽく見える領域内の白っぽく見える領域はさらに温度が低い領域である。また、図６、図７において、同じ色に見える領域は、温度が略等しい領域である。また、実験では、立体編物１２として、旭化成せんい株式会社製の商品「フュージョン（登録商標）」の型番「ＡＫＥ６４０３０」を使用した。
【００４９】
実験では、内部に冷却水が入っていない状態の枕２をその厚さ方向（Ｚ方向）が鉛直方向と一致するように配置して、流入口１１ａから冷却水を流入させた。流入口１１ａから冷却水を流入させると、流入した冷却水は、まず、流入側領域１５に配置されている立体編物１２の全体の中を拡散しながら、流入側領域１５を流れていった。そのため、図６（Ａ）、（Ｂ）に示すように、流入側領域１５の略全域の温度が流入口１１ａに近い箇所から略均等に徐々に低下していった。
【００５０】
また、冷却水は、その後、接続領域１７および流出側領域１６に配置されている立体編物１２の全体の中を拡散しながら、接続領域１７および流出側領域１６を順次、流れていった。そのため、図６（Ｃ）、（Ｄ）に示すように、接続領域１７および流出側領域１６の略全域の温度が略均等に徐々に低下していき、最終的に、流入側領域１５、流出側領域１６および接続領域１７の略全域の温度が略均等に低下した。このように、本形態の枕２では、袋体１１の内部を通過する冷却水が袋体１１の内部の略全域において略均等に拡散して、袋体１１の略全域を略均等に冷やすことが可能になる。
【００５１】
なお、図６（Ａ）は、枕２への冷却水の流入を開始してから２分１０秒後の状態を示し、図６（Ｂ）は、枕２への冷却水の流入を開始してから３分１０秒後の状態を示し、図６（Ｃ）は、枕２への冷却水の流入を開始してから４分４０秒後の状態を示し、図６（Ｄ）は、枕２への冷却水の流入を開始してから５分２０秒後の状態を示している。
【００５２】
また、比較実験として、立体編物１２が内部に配置されていない袋体１１からなる比較例にかかる枕であって、内部に冷却水が入っていない状態の枕を、その厚さ方向と鉛直方向とが一致するように配置して、流入口１１ａから冷却水を流入させた。流入口１１ａから冷却水を流入させると、流入した冷却水は、流れやすい枕の外周端に沿って、枕内を流れていった。そのため、図７に示すように、枕の外周端の温度は低下するが、枕の中心側の温度は低下しなかった。このように、立体編物１２が内部に配置されていない袋体１１からなる枕では、袋体１１の略全域を略均等に冷やすことはできない。
【００５３】
なお、図７（Ａ）は、枕への冷却水の流入を開始してから２０秒後の状態を示し、図７（Ｂ）は、枕への冷却水の流入を開始してから４０秒後の状態を示し、図７（Ｃ）は、枕への冷却水の流入を開始してから１分３０秒後の状態を示し、図７（Ｄ）は、枕への冷却水の流入を開始してから９分４０秒後の状態を示している。
【００５４】
（頭部冷却用枕の変形例）
上述した形態では、立体編物１２は、流入側領域１５の略全域に配置されているが、立体編物１２は、流入側領域１５の一部に配置されても良い。また、立体編物１２は、流出側領域１６の略全域に配置されているが、立体編物１２は、流出側領域１６の一部に配置されても良い。また、立体編物１２は、接続領域１７の略全域に配置されているが、立体編物１２は、接続領域１７の一部に配置されても良い。
【００５５】
上述した形態では、立体編物１２は、流入側領域１５、流出側領域１６および接続領域１７に配置されているが、立体編物１２は、流入側領域１５および流出側領域１６のみに配置され、接続領域１７に配置されていなくても良い。この場合には、袋体１１の内部を通過する冷却水は、流入側領域１５および流出側領域１６の、立体編物１２が配置された箇所において略均等に拡散する。そのため、この場合には、流入側領域１５および流出側領域１６の、立体編物１２が配置された箇所の全体を略均等に冷やすことが可能になる。
【００５６】
上述した形態では、袋体１１の内部に１枚の立体編物１２が配置されているが、前後左右方向に分割された複数の立体編物１２が袋体１１の内部に配置されても良い。また、上下方向において重なる２枚以上の立体編物１２が袋体１１の内部に配置されても良い。
【００５７】
（液体保持具の変形例１）
図８は、本発明の実施の形態にかかる冷却帯３２の正面図である。図９は、図８に示す冷却帯３２の背面図である。図１０は、図８に示す冷却帯３２の使用方法を説明するための図である。
【００５８】
上述した形態では、液体保持具は、寝ている使用者の頭部を冷却するための枕２であったが、本発明にかかる液体保持具は、使用者の頭部を冷却するために使用者の頭部に巻いて使用する帯状の冷却帯３２であっても良い。以下、この冷却帯３２の構成を説明する。
【００５９】
なお、以下の冷却帯３２の説明では、枕２の構成と共通する冷却帯３２の構成については、上述した形態と同じ符号を付すとともに、その説明を省略または簡略化する。また、以下の冷却帯３２の説明においては、図８、図９に示すＸ方向を左右方向、Ｙ方向を前後方向、Ｚ方向を上下方向とする。また、図８、図９に示すＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００６０】
冷却帯３２は、左右方向に細長い略帯状に形成されている。この冷却帯３２は、袋状に形成され内部を冷却水が通過する略帯状の袋体４１と、袋体４１の内部に配置される立体編物１２と、袋体４１に接続される帯状の帯部４２とを備えている。帯部４２は、袋体４１の左端に繋がるように形成されている。
【００６１】
袋体４１は、冷却帯３２の前面を構成するフィルム４３と、冷却帯３２の後面を構成するフィルム４４との２枚のフィルム４３、４４によって構成されている。フィルム４３、４４は、左右方向を長手方向とする略帯状に形成されている。具体的には、フィルム４３、４４は、その左端側の上下方向の幅が上下方向の両側へ広がり、かつ、その左右方向の略中心位置から右端側に向かう所定の範囲の上下方向の幅が下方向へ広がる細長い略帯状に形成されている。また、フィルム４３、４４は、上述のフィルム１４と同じ材料で形成されている。袋体４１は、２枚のフィルム４３、４４の外周端が互いに溶着されることで袋状に形成されており、フィルム４３、４４の外周端には、２枚のフィルム４３、４４が溶着された枠状の溶着部４４ａが形成されている。また、袋体４１には、２枚のフィルム４３、４４が溶着された略Ｔ形状の溶着部４４ｂが形成されている。
【００６２】
なお、フィルム４３、４４の左端側の、上下方向の幅が上下方向の両側へ広がる部分の上端側は上側へ突出している。すなわち、袋体４１の左端側には、上側へ突出する突出部４１ｃが形成されている。また、フィルム４３、４４の左右方向の略中心位置から右端側に向かう所定の範囲の、上下方向の幅が下方向へ広がる部分は、後述のように、頭部Ｈ（図１０参照）に冷却帯３２が巻かれたときに、額側に配置される。すなわち、冷却帯３２のこの部分は、額に接触する額接触部３２ａとなっている。
【００６３】
溶着部４４ｂは、上下方向に略平行な直線状の第１溶着部４４ｃと、左右方向に略平行な直線状の２個の第２溶着部４４ｄ、４４ｅと、第２溶着部４４ｄと第２溶着部４４ｅとを繋ぐ曲線状の第３溶着部４４ｆとから構成されている。第１溶着部４４ｃは、突出部４１ｃの左右方向の略中心を通過するように袋体４１の左端側に形成されている。また、第１溶着部４４ｃは、袋体４１の上端から下端側に向かって形成されている。第１溶着部４４ｃの上端は、溶着部４４ａに繋がっている。第２溶着部４４ｄは、袋体４１の左端との間に所定の間隔をあけた状態で形成されている。また、第２溶着部４４ｄは、袋体４１の上下方向の両端のそれぞれとの間に所定の間隔をあけた状態で形成されている。左右方向における第２溶着部４４ｄの中心は、第１溶着部４４ｃの下端に繋がっている。第２溶着部４４ｅは、袋体４１の右端との間に所定の間隔をあけた状態で形成されている。また、第２溶着部４４ｅは、袋体４１の上下方向の両端のそれぞれとの間に所定の間隔をあけた状態で形成されている。第３溶着部４４ｆは、第２溶着部４４ｄの右端と第２溶着部４４ｅの左端とを繋ぐように形成されている。
【００６４】
袋体４１には、冷却水が流入する流入口４１ａと、冷却水が流出する流出口４１ｂとが形成されている。流入口４１ａおよび流出口４１ｂは、突出部４１ｃの上端側に形成されている。また、流入口４１ａおよび流出口４１ｂは、左右方向において、第１溶着部４４ｃを挟むように形成されている。また、流入口４１ａおよび流出口４１ｂは、フィルム４４に形成されている。流入口４１ａには、チューブ４の一端が接続され、流出口４１ｂには、チューブ３の一端が接続されている。
【００６５】
袋体４１の内部には、流入口４１ａに繋がる流入側領域４５と、流出口４１ｂに繋がる流出側領域４６と、流入側領域４５と流出側領域４６とを繋ぐ接続領域４７とが形成されている。本形態では、袋体４１の内部の、第１溶着部４４ｃよりも右側の領域、および、第１溶着部４４ｃよりも右側の領域であって、かつ、第２溶着部４４ｄ、４４ｅおよび第３溶着部４４ｆよりも上側の領域が流入側領域４５となっている。また、袋体４１の内部の、第１溶着部４４ｃよりも左側の領域が流出側領域４６となっている。また、袋体４１の内部の、第２溶着部４４ｄ、４４ｅおよび第３溶着部４４ｆよりも下側の領域が接続領域４７となっている。このように、袋体４１の内部は、流入側領域４５と流出側領域４６と接続領域４７とによって構成されており、流入側領域４５、流出側領域４６および接続領域４７は、溶着部４４ｂによって画定されている。
【００６６】
立体編物１２は、その厚さ方向と前後方向とが略一致するように流入側領域４５、流出側領域４６および接続領域４７に配置されている。また、立体編物１２は、袋体４１の内部の略全域に配置されている。立体編物１２の前面および後面は、フィルム４３、４４に当接しており、袋体４１の中には、立体編物１２の空間容積に略等しい容積の冷却水を入れることが可能となっている。なお、冷却帯３２は、枕２と同様に柔軟性を有している。
【００６７】
袋体４１の右端側と帯部４２とは、面ファスナ４９によって互いに繋がるようになっている。袋体４１の右端側の後面には、面ファスナ４９を構成する第１係合部材としてのフック部材４９ａが固定され、帯部４２の前面には、面ファスナ４９を構成する第２係合部材としてのループ部材４９ｂが固定されている。フック部材４９ａには、フック状に起毛されたフック面が形成され、ループ部材４９ｂには、ループ状に起毛されたループ面が形成されている。
【００６８】
以上のように構成された冷却帯３２は、図１０に示すように、頭部Ｈに巻かれて使用される。本形態では、冷却帯３２の後面（フィルム４４側）が頭部Ｈに接触するように、冷却帯３２は頭部Ｈに巻かれる。また、流入口４１ａおよび流出口４１ｂが後頭部側に配置され、冷却帯３２の額接触部３２ａが額側に配置されるように冷却帯３２は頭部Ｈに巻かれる。頭部Ｈに巻かれた冷却帯３２では、流入口４１ａから流入した冷却水は、流入側領域４５、接続領域４７および流出側領域４６をこの順番に通過して、流出口４１ｂから流出する。袋体４１の内部では、立体編物１２に冷却水が保持されている。
【００６９】
冷却帯３２は、頭部Ｈに巻かれて使用されるため、立体編物１２の厚さ方向が鉛直方向に対して傾いた状態で冷却帯３２が使用される場合がある。しかし、上述のように、網目状の２枚の編地２０が弾性を有する複数の連結糸２１によって連結されているため、冷却水の表面張力を利用して、２枚の編地２０の間に所定の保持力で冷却水を保持することが可能になる。したがって、立体編物１２の厚さ方向が鉛直方向に対して傾いた状態で冷却帯３２が使用される場合であっても、袋体４１の内部に配置される立体編物１２の２枚の編地２０の間に液体を保持することが可能になり、冷却水が袋体４１の下側に溜まるのを防止することが可能になる。その結果、立体編物１２の厚さ方向が鉛直方向に対して傾いた状態で冷却帯３２が使用される場合であっても、冷却帯３２の全体に冷却効果を持たせることが可能になり、頭部Ｈを効果的に冷やすことが可能になる。
【００７０】
なお、冷却帯３２では、帯部４２の内部に立体編物１２は配置されていないが、帯部４２の内部に立体編物１２が配置されても良い。また、面ファスナ４９に代えて、鉤ホック等で、袋体４１の右端側と帯部４２とが繋がれても良い。また、冷却帯３２の長さと幅を調整すれば、頭部Ｈ以外に、人体の胴、腕または脚等に冷却帯３２を巻いて使用することが可能である。
【００７１】
（液体保持具の変形例２）
図１１は、本発明の実施の形態にかかる冷却パッド６２の正面図である。
【００７２】
上述した形態では、液体保持具は、寝ている使用者の頭部を冷却するための枕２であったが、本発明にかかる液体保持具は、人体の額、腕あるいは脚等を冷却するための冷却パッド６２であっても良い。以下、冷却パッド６２の構成を説明する。なお、以下の冷却パッド６２の説明では、枕２の構成と共通する冷却パッド６２の構成については、上述した形態と同じ符号を付すとともに、その説明を省略または簡略化する。
【００７３】
冷却パッド６２は、略正方形または略長方形状に形成されている。この冷却パッド６２は、袋状に形成され内部を冷却水が保持される袋体７１と、袋体７１の内部に配置される立体編物１２とを備えている。袋体７１は、フィルム１４と同じ材料で形成される２枚のフィルム８４の外周端が互いに溶着されることで袋状に形成されており、フィルム８４の外周端には、２枚のフィルム８４が溶着された枠状の溶着部８４ａが形成されている。また、袋体７１には、袋体７１の内部へ冷却水を注入するための注入口７１ａが形成されている。注入口７１ａには、チューブ６４の一端が接続されている。
【００７４】
立体編物１２は、その厚さ方向とフィルム８４の厚さ方向とが略一致するように袋体７１の内部に配置されている。立体編物１２の表面は、フィルム８４に当接しており、袋体７１の中には、立体編物１２の空間容積に略等しい容積の冷却水を入れることが可能となっている。なお、冷却パッド６２は、枕２と同様に柔軟性を有している。
【００７５】
冷却パッド６２では、チューブ６４を介して袋体７１の内部へ冷却水が注入されると、袋体７１の内部から冷却水が漏れないように、チューブ６４の他端が潰されて封止される。袋体７１の内部では、立体編物１２に冷却水が保持されている。
【００７６】
冷却パッド６２は、腕や脚等に接触させて使用される場合があるため、立体編物１２の厚さ方向が鉛直方向に対して傾いた状態で冷却パッド６２が使用される場合がある。しかし、上述のように、網目状の２枚の編地２０が弾性を有する複数の連結糸２１によって連結されているため、冷却水の表面張力を利用して、２枚の編地２０の間に所定の保持力で冷却水を保持することが可能になる。したがって、立体編物１２の厚さ方向が鉛直方向に対して傾いた状態で冷却パッド６２が使用される場合であっても、袋体７１の内部に配置される立体編物１２の２枚の編地２０の間に液体を保持することが可能になり、冷却水が袋体７１の下側に溜まるのを防止することが可能になる。その結果、立体編物１２の厚さ方向が鉛直方向に対して傾いた状態で冷却パッド６２が使用される場合であっても、冷却パッド６２の全体に冷却効果を持たせることが可能になり、腕や脚等を効果的に冷やすことが可能になる。
【００７７】
なお、注入口７１ａにチューブ６４が接続されていなくても良い。この場合には、注入口７１ａから袋体７１の内部に冷却水が注入された後に注入口７１ａを塞げば良い。また、冷却パッド６２の大きさを調整すれば、たとえば、応急用の冷却用シートとして冷却パッド６２を使用することも可能である。
【００７８】
（実施の形態１の他の変形例）
上述した形態では、液体保持具は、寝ている使用者の頭部を冷却するための枕２であったが、本発明にかかる液体保持具は、頭部を除く人体の全体を冷却するためのマット、ブランケットまたはシーツであっても良い。この場合には、枕２をそのまま大型化して、液体保持具を構成すれば良い。また、本発明にかかる液体保持具は、人体の胴部を冷却するためのジャケットまたはベストであっても良い。この場合には、枕２を構成する袋体１１の形状を人体の胴部に合わせて形成すれば良い。
【００７９】
また、本発明にかかる液体保持具は、人体の一部を加熱するための加熱用の枕、帯、パッド、シート、マット、ブランケット、シーツ、ジャケットまたはベスト等であっても良い。この場合には、たとえば、袋体１１、４１の内部を加熱用の液体（たとえば、温水）が通過する。また、この場合には、たとえば、袋体７１の内部に加熱用の液体（たとえば、温水）が保持されている。
【００８０】
また、本発明にかかる液体保持具は、たとえば、人間以外の動物を冷却・加熱するためのものであっても良い。また、本発明にかかる液体保持具は、機械や構造物等を冷却・加熱するためのものであっても良い。たとえば、道路に設置されるカーブミラーの裏側に、シート状に形成された液体保持具を設置して、カーブミラーを加熱しても良い。この場合には、寒冷地等で使用されるカーブミラー表面の曇りや氷結を防止することが可能になる。また、たとえば、寒冷地等で使用される自動車のフロントガラスに、シート状に形成された液体保持具を被せて、フロントガラスを加熱しても良い。この場合には、フロントガラスに付着した氷を溶かすことが可能になる。さらに、たとえば、降雪量の多い地域の家屋の屋根にシート状に形成された液体保持具を設置して、降雪時または積雪時に屋根を加熱しても良い。この場合には、屋根に積もった雪を屋根から落下させることが可能になる。
【００８１】
また、本発明にかかる液体保持具は、農産物を冷却・加熱するためのものであっても良い。たとえば、温度管理が必要な農産物の収納箱に、シート状に形成された液体保持具を設置して、農産物を冷却・加熱しても良い。
【００８２】
上述した形態では、流入口１１ａから流入した冷却水は流出口１１ｂから流出しており、枕２では、冷却水が循環している。この他にもたとえば、袋体１１の内部に冷却水を注入した後に、流入口１１ａおよび流出口１１ｂを封止しても良い。すなわち、枕２において、冷却水が循環しなくても良い。この場合には、袋体１１に溶着部１４ｂは形成されなくても良い。すなわち、袋体１１の内部に、流入側領域１５、流出側領域１６および接続領域１７が形成されなくても良い。同様に、冷却帯３２では、流入口４１ａから流入した冷却水は流出口４１ｂから流出しているが、袋体４１の内部に冷却水を注入した後に、流入口４１ａおよび流出口４１ｂを封止して、冷却水を循環させなくても良い。また、冷却パッド６２では、冷却水を循環させていないが、冷却水を循環させても良い。すなわち、本発明の液体保持具では、冷却用または加熱用の液体を循環させても良いし、循環させなくても良い。
【００８３】
［実施の形態２］
図１２は、本発明の実施の形態にかかる液体移送装置９１の概略図であり、（Ａ）は液体移送装置９１の概略側面図、（Ｂ）は（Ａ）のＥ−Ｅ方向から液体移送具９２および液体供給容器９３を示す図である。
【００８４】
本形態の液体移送装置９１は、サイホンの原理を利用して液体を移送するための装置である。液体移送装置９１で移送される液体は、たとえば、インクジェットプリンタ用のインクであり、液体移送装置９１は、インクジェットプリンタに搭載されて使用される。また、液体移送装置９１で移送される液体は、たとえば、肥料（液肥）、溶剤、油、薬品、医薬品、血液または血液から分離された分離物であり、液体移送装置９１は、各種の装置や器具に搭載されて使用される。
【００８５】
液体移送装置９１は、液体保持具としての液体移送具９２と、液体の供給部としての液体供給容器９３と、液体の被供給部としての液体被供給容器９４とを備えている。なお、以下の液体移送具９２の説明では、枕２の構成と共通する液体移送具９２の構成については、上述した形態と同じ符号を付すとともに、その説明を省略または簡略化する。
【００８６】
液体移送具９２は、略長方形の帯状に形成されている。この液体移送具９２は、袋状に形成され内部を液体が通過する袋体１０１と、袋体１０１の内部に配置される立体編物１２とを備えている。袋体１０１は、略長方形の帯状に形成されており、フィルム１４と同じ材料で形成される２枚のフィルム１０４によって構成されている。また、袋体１０１は、帯状に形成される袋体１０１の短手方向における２枚のフィルム１０４の両端が互いに溶着されることで袋状に形成されており、袋体１０１の短手方向の両端には、２枚のフィルム１０４が溶着された直線状の溶着部１０４ａが形成されている。また、袋体１０１の長手方向の両端１０１ａ、１０１ｂは、開口している。
【００８７】
立体編物１２は、その厚さ方向とフィルム１０４の厚さ方向とが略一致するように袋体１０１の内部に配置されている。具体的には、立体編物１２は、袋体１０１の内部の略全域に配置されている。立体編物１２の表面は、フィルム１０４に当接しており、袋体１０１の中には、立体編物１２の空間容積に略等しい容積の冷却水を入れることが可能となっている。なお、液体移送具９２は、枕２と同様に柔軟性を有している。
【００８８】
液体供給容器９３および液体被供給容器９４は、液体供給容器９３の液面が液体被供給容器９４の液面よりも高くなるように配置されている。液体供給容器９３の液体の中には、長手方向における液体移送具９２の一端側（袋体１０１の一端１０１ａ側）が浸かっている。液体被供給容器９４の液体の中には、長手方向における液体移送具９２の他端側（袋体１０１の他端１０１ｂ側）が浸かっている。
【００８９】
液体移送具９２は、たとえば、略Ｕ形状に折り曲げられた状態で設置されている。また、液体移送具９２は、折曲部９２ａが上側に配置され、長手方向における液体移送具９２の両端が下側に配置されるように設置されている。液体供給容器９３の液面と、折曲部９２ａとの高低差ｈは、たとえば、５００ｍｍ程度となっている。
【００９０】
上述のように、網目状の２枚の編地２０が弾性を有する複数の連結糸２１によって連結されているため、液体移送具９２では、液体の表面張力を利用して、２枚の編地２０の間に所定の保持力で液体を保持することが可能になる。したがって、折曲部９２ａが上側に配置され、長手方向における液体移送具９２の両端が下側に配置されるように、液体移送具９２が設置されていても、袋体１０１の内部に配置される立体編物１２の２枚の編地２０の間に液体を保持することが可能になる。その結果、液体移送装置９１では、袋体１０１の両端１０１ａ、１０１ｂが開口している液体移送具９２を用いて、液体を、液体供給容器９３の液面よりも高い位置に配置される折曲部９２ａを通過させて、液体移送具９２の一端側が浸かる液体供給容器９３から液体移送具９２の他端側が浸かる液体被供給容器９４へ移送することが可能になる。すなわち、液体移送装置９１では、液体供給容器９３から液体被供給容器９４へ液体を移送するポンプ等が設置されていなくても、液体移送具９２を用いたサイホンの原理を利用して、液体供給容器９３から液体被供給容器９４へ液体を移送することが可能になる。
【００９１】
このように、本形態では、略平板状の立体編物１２と袋体１０１とを用いた簡易な構成からなる液体移送具９２を用いて液体移送装置９１を構成しているため、サイホンの原理を利用した液体移送装置９１の構成の簡素化と小型化とが可能になる。
【符号の説明】
【００９２】
１  頭部冷却装置（冷却・加熱装置）
２  枕（頭部冷却用枕、液体保持具）
７  ポンプ
８  熱交換器
１１、４１、７１、１０１  袋体
１１ａ、４１ａ  流入口
１１ｂ、４１ｂ  流出口
１２  立体編物
１４  フィルム
１４ｂ  溶着部
１５、４５  流入側領域
１６、４６  流出側領域
１７、４７  接続領域
２０  編地
２１  連結糸
３２  冷却帯（液体保持具）
４９  面ファスナ
４９ａ  フック部材（第１係合部材）
４９ｂ  ループ部材（第２係合部材）
６２  冷却パッド（液体保持具）
９１  液体移送装置
９２  液体移送具（液体保持具）
９３  液体供給容器（供給部）
９４  液体被供給容器（被供給部）
【図１】
0005354819.tif 000002
【図２】
0005354819.tif 000003
【図３】
0005354819.tif 000004
【図４】
0005354819.tif 000005
【図５】
0005354819.tif 000006
【図６】
0005354819.tif 000007
【図７】
0005354819.tif 000008
【図８】
0005354819.tif 000009
【図９】
0005354819.tif 000010
【図１０】
0005354819.tif 000011
【図１１】
0005354819.tif 000012
【図１２】
0005354819.tif 000013